(57)【要約】【課題】データの不正使用を防止する手段を予め備えない記録媒体に関して、データの不正使用を防止できる記録媒体のデータの不正使用防止システムを提供すること。【解決手段】着脱可能な記録媒体54にデータを記録する記録装置50と、この記録装置50に信号の入力が可能に接続された操作盤10と、着脱可能な記録媒体54からデータを読み取る情報処理装置70とを備え、記録装置50は、データを読取不能な状態に変換して記録媒体54に記録する記録処理部62と、操作盤10に対する所定操作を検知する所定操作検知部64と、操作盤10に対する所定操作が検知された場合に限って、読取不能な状態のデータの読取可能な状態への変換に必要な読取許可情報を記録媒体54に書き込む読取許可処理部65とを備え、情報処理装置70は、記録媒体54に読取不能な状態で記録されたデータを、読取許可情報に基づき読取可能な状態に復元して読み取る読取処理部81とを備える。【選択図】図３
2015118543.tif 000002
【特許請求の範囲】
【請求項１】
着脱可能に装着される記録媒体にデータを記録する記録装置と、この記録装置に信号の入力が可能に接続された操作盤と、着脱可能に装着される前記記録媒体からデータを読み取る情報処理装置とを備え、
前記記録装置は、データを読取不能な状態に変換して前記記録媒体に記録する記録処理部と、前記操作盤に対して所定操作が行われたことを検知する所定操作検知部と、前記操作盤に対して所定操作が行われたことが前記所定操作検知部により検知された場合に限って、読取不能な状態のデータを読取可能な状態に復元するのに必要な情報である読取許可情報を前記記録媒体に書き込む読取許可処理部とを備え、
前記情報処理装置は、前記記録媒体に読取不能な状態で記録されたデータを、前記記録媒体に書き込まれた前記読取許可情報に基づき読取可能な状態に復元して読み取る読取処理部とを備える
ことを特徴とする記録媒体のデータの不正使用防止システム。
【請求項２】
着脱可能に装着される記録媒体に、監視カメラにより撮影されたエレベータの乗かご内の様子を映像データとして記録する記録装置と、前記乗かごに設けられ、前記記録装置に信号の入力が可能に接続されたかご内操作盤と、着脱可能に装着される前記記録媒体から映像データを読み取る情報処理装置とを備え、
前記記録装置は、映像データを読取不能な状態に変換して前記記録媒体に記録する記録処理部と、前記かご内操作盤に対して所定操作が行われたことを検知する所定操作検知部と、前記かご内操作盤に対して所定操作が行われたことが前記所定操作検知部により検知された場合に限って、読取不能な状態の映像データを読取可能な状態に復元するのに必要な情報である読取許可情報を前記記録媒体に書き込む読取許可処理部とを備え、
前記情報処理装置は、前記記録媒体に読取不能な状態で記録された映像データを、前記記録媒体に書き込まれた前記読取許可情報に基づき読取可能な状態に復元して読み取る読取処理部とを備える
ことを特徴とする記録媒体のデータの不正使用防止システム。
【発明の詳細な説明】
【技術分野】
【０００１】
本発明は、記録媒体に記録されたデータの不正使用を防止する記録媒体のデータの不正使用防止システムに関する。
【背景技術】
【０００２】
特許文献１には、エレベータ用防犯カメラシステムが開示されている。このエレベータ用防犯カメラシステムにおいて、エレベータかご内に設置されたカメラで撮影された映像データは、カメラ制御装置により保存および出力される。カメラ制御装置のハードディスクに保存されたデジタル映像データを確認するためには、コンピュータとかご内操作盤のモジュラージャックとを通信ケーブルにより接続する。コンピュータはカメラ制御装置と通信を行い、カメラ制御装置のハードディスクに保存されたデジタル映像データをコンピュータの表示装置に再生することができる。
【０００３】
特許文献２には不揮発メモリ装置が記載されている。この不揮発メモリ装置は、情報処理装置に対して着脱可能なものであって、データを不揮発に記憶するメモリ部と、所定のトリガが発生した場合に、メモリ部に記憶されたデータを消去させる消去指示を発する消去指示手段と、消去指示手段からの消去指示を受けて、メモリ部に記憶されたデータを消去する消去手段と、を備える。つまり、この不揮発メモリ装置は、メモリ部に記憶されているデータを自動的に消去することで、データの不正使用を防止する。
【先行技術文献】
【特許文献】
【０００４】
【特許文献１】特開２００３−４０５４２号公報
【特許文献２】特開２００６−１９５７１９号公報
【発明の概要】
【発明が解決しようとする課題】
【０００５】
特許文献２に開示された不揮発メモリ装置は、データを記憶するメモリ部以外に、消去指示手段および消去手段という特殊な手段を予め備えることによって、データの不正使用を防止するものである。このため、それらの特殊な手段を予め備えない記録媒体、例えば特許文献１に開示されたエレベータ用防犯カメラシステムにおけるハードディスクには適用できない。
【０００６】
本発明は前述の事情を考慮してなされたものであり、その目的は、データの不正使用を防止する手段を予め備えない記録媒体に関して、そのデータの不正使用を防止することができる記録媒体のデータの不正使用防止システムを提供することにある。
【課題を解決するための手段】
【０００７】
前述の目的を達成するために、本発明に係る記録媒体のデータの不正使用防止システムは、次のように構成されている。
【０００８】
〔１〕  本発明に係る記録媒体のデータの不正使用防止システムは、着脱可能に装着される記録媒体にデータを記録する記録装置と、この記録装置に信号の入力が可能に接続された操作盤と、着脱可能に装着される前記記録媒体からデータを読み取る情報処理装置とを備え、前記記録装置は、データを読取不能な状態に変換して前記記録媒体に記録する記録処理部と、前記操作盤に対して所定操作が行われたことを検知する所定操作検知部と、前記操作盤に対して所定操作が行われたことが前記所定操作検知部により検知された場合に限って、読取不能な状態のデータを読取可能な状態に復元するのに必要な情報である読取許可情報を前記記録媒体に書き込む読取許可処理部とを備え、前記情報処理装置は、前記記録媒体に読取不能な状態で記録されたデータを、前記記録媒体に書き込まれた前記読取許可情報に基づき読取可能な状態に復元して読み取る読取処理部とを備えることを特徴とする。
【０００９】
〔２〕  本発明に係る記録媒体のデータの不正使用防止システムは、着脱可能に装着される記録媒体に、監視カメラにより撮影されたエレベータの乗かご内の様子を映像データとして記録する記録装置と、前記乗かごに設けられ、前記記録装置に信号の入力が可能に接続されたかご内操作盤と、着脱可能に装着される前記記録媒体から映像データを読み取る情報処理装置とを備え、前記記録装置は、映像データを読取不能な状態に変換して前記記録媒体に記録する記録処理部と、前記かご内操作盤に対して所定操作が行われたことを検知する所定操作検知部と、前記かご内操作盤に対して所定操作が行われたことが前記所定操作検知部により検知された場合に限って、読取不能な状態の映像データを読取可能な状態に復元するのに必要な情報である読取許可情報を前記記録媒体に書き込む読取許可処理部とを備え、前記情報処理装置は、前記記録媒体に読取不能な状態で記録された映像データを、前記記録媒体に書き込まれた前記読取許可情報に基づき読取可能な状態に復元して読み取る読取処理部とを備えることを特徴とする。
【発明の効果】
【００１０】
「〔１〕」に記載の本発明に係る記録媒体のデータの不正使用防止システムは、記録装置の記録処理部によりデータを読取不能な状態に変換して記録媒体に記録した上で、操作盤に対して所定操作が行われたことが所定操作検知部により検知された場合に限って、読取許可情報を記録装置の読取許可処理部により記録媒体に書き込み、これにより、その読取許可情報を読み取ることができる読取処理部を備える情報処理装置に限定して、記録媒体に記録されたデータを読み取らせるようにしている。したがって、データの不正使用を防止する手段を予め備えない記録媒体に関して、そのデータの不正使用を防止することができる。
【００１１】
「〔２〕」に記載の本発明に係る記録媒体のデータの不正使用防止システムは、監視カメラにより撮影されたエレベータの乗かご内の様子を映像データとして記録媒体に記録するものを記録装置として備えるとともに、記録装置に信号の入力が可能に接続されたかご内操作盤を備える。そして、「〔２〕」に記載の本発明に係る記録媒体のデータの不正使用防止システムは、記録装置の記録処理部により映像データを読取不能な状態に変換して記録媒体に記録した上で、かご内操作盤に対して所定操作が行われたことが所定操作検知部により検知された場合に限って、読取許可情報を記録装置の読取許可処理部により記録媒体に書き込み、これにより、その読取許可情報を読み取ることができる読取処理部を備える情報処理装置に限定して、記録媒体に記録された映像データを読み取らせるようにしている。したがって、「〔２〕」に記載の本発明に係る記録媒体のデータの不正使用防止システムは、データの不正使用を防止する手段を予め備えない記録媒体のうち、特にエレベータの乗かご内の様子の映像データの記録に用いられる記録媒体に関して、その映像データの不正使用を防止することができる。
【図面の簡単な説明】
【００１２】
【図１】本発明の一実施形態に係る記録媒体のデータの不正使用防止システムが適用されたエレベータ乗かご内監視装置の概略図である。
【図２】本発明の一実施形態に係る記録媒体のデータの不正使用防止システムに備えられる記録装置の外観斜視図である。
【図３】本発明の一実施形態に係る記録媒体のデータの不正使用防止システムを示すブロック図であり、「（ａ）」は、その不正使用防止システムに備えられる記録装置のブロック図であり、「（ｂ）」はその不正使用防止システムに備えられる情報処理装置のブロック図である。
【発明を実施するための形態】
【００１３】
本発明の実施形態に係るエレベータ乗かご内監視装置について図１〜図３を用いて説明する。
【００１４】
図１に示すように、乗かご１の出入口２の側方の壁には、かご内操作盤１０が設けられている。
【００１５】
かご内操作盤１０は、乗かご１内において乗客に操作されるスイッチが設けられた乗客用操作領域１０ａと、この乗客用操作領域１０ａの下方に位置し、エレベータの保守点検作業を行う作業者およびエレベータの管理者等の乗客以外のエレベータの関係者に操作されるスイッチが設けられた関係者用操作領域１０ｂと、この関係者用操作領域１０ｂを覆い隠す施錠可能な扉２０とを有する。
【００１６】
乗客用操作領域１０ａに設けられたスイッチは、複数（例えば８個）の行先階登録ボタンスイッチ１１、ドア開ボタンスイッチ１２、ドア閉ボタンスイッチ１３等である。行先階登録ボタンスイッチ１１、ドア開ボタンスイッチ１２およびドア閉ボタンスイッチ１３は何れも、押ボタンスイッチである。
【００１７】
行先階登録ボタンスイッチ１１は、操作ボタンを押圧操作されることによってかご呼びの契機となる行先階登録信号を出力するものである。ドア開ボタンスイッチ１２は、操作ボタンを押圧されることによってかごドアと乗場ドアを開くことを指令するドア開指令信号を出力するものである。ドア閉ボタンスイッチ１３は、操作ボタンを押圧操作されることによってかごドアと乗場ドアを閉めることを指令するドア閉指令信号を出力するものである。
【００１８】
関係者用操作領域１０ｂに設けられたスイッチは、例えば低速走行スイッチ２１および空調スイッチ２２であり、これら低速走行スイッチ２１および空調スイッチ２２は何れもロッカースイッチ（シーソースイッチ）である。
【００１９】
低速走行スイッチ２１は、操作ボタンの一端側を押圧操作されることによってオン状態となり、操作ボタンの他端側を押圧操作されることによってオフ状態になる。この低速走行スイッチ２１のオン状態は、乗かご１の走行速度が通常よりも低速に制御される状態であり、低速走行スイッチ２１のオフ状態は、乗かご１の走行速度が乗客を輸送する走行速度である通常速度に制御される状態である。
【００２０】
空調スイッチ２２も、操作ボタンの一端側を押圧操作されることによってオン状態となり、操作ボタンの他端側を押圧操作されることによってオフ状態になる。この空調スイッチ２２のオン状態は、換気扇（図示省略）および空調装置（図示省略）を作動させる状態であり、空調スイッチ２２のオフ状態は換気扇および空調装置を停止させる状態である。
【００２１】
同図１に示すように、本実施形態に係るエレベータ乗かご内監視装置３０は、乗かご１の上部、例えば天井１ａに設けられ、乗かご１内の様子を撮影し、その様子を撮影信号に変換して出力する監視カメラ４０と、かご内操作盤１０の関係者操作領域１０ｂに収容され、監視カメラ４０から出力された撮影信号を映像データに変換して、記録媒体であるＳＤカード５４（図２に示す）に記録する記録装置５０とを備える。
【００２２】
図２，図３に示すように、記録装置５０は、ＳＤカード５４が着脱可能に装着されるカードコネクタ５１と、カードコネクタ５１からのＳＤカード５４の取出しの際に押圧操作されるイジェクトボタンスイッチ５２と、ＬＥＤランプから成る表示灯５３と、制御装置６０とを備える。
【００２３】
カードコネクタ５１は、ＳＤカード５４を装着された状態において、この状態を示す装着信号（電気信号）を制御装置６０に対して出力する。カードコネクタ５１は、ＳＤカード５４を装着されてない状態においては装着信号を出力しない。イジェクトボタンスイッチ５２は、押圧操作されたときに操作信号（電気信号）を出力するものである。
【００２４】
制御装置６０はＣＰＵ、ＲＡＭ、ＲＯＭを備え、これらを用いて記録装置５０の制御に係る処理を行うものである。この制御装置６０は、コンピュータプログラムにより設定された機能部として、装着判定部６１、記録処理部６２、イジェクト操作検知部６３、所定操作検知部６４、読取許可処理部６５、表示処理部６６とを備える。これらの機能部について説明していく。
【００２５】
装着判定部６１は、カードコネクタ５１にＳＤカード５４が装着された状態であるか否かの判定を行うものである。この装着判定部６１は、制御装置６０に装着信号が入力されている状態を、カードコネクタ５１にＳＤカード５４が装着された状態であると判定し、制御装置６０に装着信号が入力されていない状態を、カードコネクタ５１にＳＤカード５４が装着された状態でないと判定する。
【００２６】
記録処理部６２は、カードコネクタ５１にＳＤカード５４が装着された状態であると装着判定部６１により判定された状態において、監視カメラ４０から出力された撮影信号を映像データに変換し、さらにその映像データを読取不能な状態に変換してＳＤカード５４に記録するものである。ここで、映像データの読取不能な状態とは、映像データの時系列を無秩序に並び替えた状態である。
【００２７】
イジェクト操作検知部６３は、イジェクトボタンスイッチ５２の押圧操作を検知するものである。このイジェクト操作検知部６３は、イジェクトボタンスイッチ５２からの操作信号が制御装置６０に入力されたことを、イジェクトボタンスイッチ５２が押圧操作されたこととして検知する。なお、イジェクト操作検知部６３によりイジェクトボタンスイッチ５２の押圧操作が検知されたことに基づき、記録処理部６２はＳＤカード５４への録画を停止する。
【００２８】
所定操作検知部６４は、かご内操作盤１０に対して所定操作が行われたことを検知するものである。その所定操作は、例えば、５階からのかご呼びを行うための行先階登録ボタンスイッチ（以下「５階ボタンスイッチ」という）と、６階からのかご呼びを行うための行先階登録ボタンスイッチ（以下「６階ボタンスイッチ」という）との両方を、同時に３秒間の長押しすることである。かご内操作盤１０は、５階からのかご呼びの契機となる行先階登録信号と、６階からのかご呼びの契機となる行先階登録信号とを制御装置６０に入力可能に、この制御装置６０に接続されていて、所定操作検知部６４は、それらの行先階登録信号が同時に３秒間連続して制御装置６０に入力されたことを、かご内操作盤１０に対して所定操作が行われたこととして検知する。所定操作は、乗客が通常行わない操作であれば、５階ボタンスイッチと６階ボタンスイッチの長押し操作でなくてもよい。
【００２９】
読取許可処理部６５は、かご内操作盤１０に対して前述の所定操作が行われたことが所定操作検知部６４により検知された場合に限って、読取不能な状態の映像データを読取可能な状態に復元するのに必要な情報である読取許可情報をＳＤカード５４に書き込むものである。ここで、読取許可情報は、記録処理部６２によって時系列を無秩序に並び替えられた映像データの正しい時系列の情報であり、記録処理部６２により映像データの時系列が無秩序に並べ替えられるのと並行して、読取許可処理部６５により作成される。
【００３０】
所定操作は、エレベータの関係者のみに伝えられる操作である。したがって、ＳＤカード５４に記録された映像データの不正使用を行おうとする者が、エレベータの関係者であったり、所定操作を不正な方法で知った非関係者であったりしない限り、ＳＤカード５４に読取許可情報が書き込まれることはない。
【００３１】
表示処理部６６は、表示灯５３を制御するものである。この表示処理部６６は、ＳＤカード５４がカードコネクタ５１に装着された状態であると装着判定部６１により判定されている間、表示灯５３を点灯した状態に維持する。また、表示処理部６６は、イジェクトボタンスイッチ５２に対する押圧操作がイジェクト操作検知部６３により検知された時点から、ＳＤカード５４がカードコネクタ５１に装着された状態でないと装着判定部６１により判定されるまでの間、表示灯５３を点滅した状態に維持する。また、表示処理部６６は、ＳＤカード５４がカードコネクタ５１に装着された状態でないと装着判定部６１により判定されている間、表示灯５３を消灯した状態に維持する。
【００３２】
情報処理装置７０は、ＳＤカード５４が着脱可能に装着されるカードコネクタ（図示省略）と、映像を表示可能な表示装置７１と、キーボード、タッチバット等を含む入力装置７２と、この入力装置７２に対する操作に基づいて情報処理装置７０の制御を行う制御装置８０とを備える。
【００３３】
情報処理装置７０の制御装置８０はＣＰＵ、ＲＡＭ、ＲＯＭ、ハードディスク（補助記憶装置）を備え、これらを用いて、入力装置７２に対する操作に基づきＳＤカード５４に記録された映像データの再生に係る処理を行うものである。この制御装置８０は、ＳＤカード５４に記録された映像データの再生に係る処理を行うために、コンピュータプログラムにより設定された機能部として、読取処理部８１と、再生処理部８２とを備える。これらの機能部について説明していく。
【００３４】
読取処理部８１は、ＳＤカード５４に読取不能な状態で記録された映像データを、そのＳＤカード５４に書き込まれた読取許可情報に基づき読取可能な状態に復元して読み取るものである。より詳細には、前述のように映像データはＳＤカード５４に記録される段階で時系列を無秩序に並び替えられることにより読取不能な状態となるので、読取処理部８１は、その映像データの正しい時系列の情報である読取許可情報に基づいて、無秩序に並び替えられた映像データを正しい時系列に並び替えることにより読取可能な状態に復元した上で、読み取る。
【００３５】
再生処理部８２は、読取処理部８１により読み取られた映像データを表示装置７１に再生させて表示させるものである。
【００３６】
情報処理装置７０は、ＳＤカード５４に読取不能な状態で記録された映像データを、そのＳＤカード５４に書き込まれた読取許可情報に基づき読取可能な状態に復元して読み取る読取処理部８１と、読取処理部８１により読み取られた映像データを表示装置７１に再生させて表示させる再生処理部８２とを備えるという点で、一般的に個人用または業務用として使用される情報処理装置とは異なるものであり、エレベータ乗かご内監視装置３０に対する保守点検用のものである。
【００３７】
このように構成された本実施形態に係る記録媒体のデータの不正使用防止システムを、前述の所定操作を知っているエレベータの関係者が使用して、ＳＤカード５４に記録された映像データを再生する場合、その関係者は次の手順で作業を行う。
【００３８】
関係者は、はじめに、扉２０を解錠して開ける。これにより、かご内操作盤１０は乗かご１内から記録装置５０を扱える状態になる。次に、関係者は、かご内操作盤１０の５階ボタンスイッチと６階ボタンスイッチとを同時に３秒間長押しする。これにより、５階ボタンスイッチと６階ボタンスイッチの両方から行き先階登録信号が３秒間連続して、記録装置５０の制御装置６０に入力される。これに伴い、制御装置６０の読取許可処理部６５は、５階ボタンスイッチと６階ボタンスイッチの両方から行き先階登録信号が制御装置６０に３秒間連続して入力されたことを、かご内操作盤１０に対して５階ボタンスイッチと６階ボタンスイッチの両方が同時に３秒間長押しされたこととして検知する。
【００３９】
そして、読取許可処理部６５は、かご内操作盤１０に対して５階ボタンスイッチと６階ボタンスイッチとの両方が同時に３秒間長押しされたことを検知した時点までにＳＤカード５４に記録された映像データに係る読取許可情報をＳＤカード５４に書き込む。
【００４０】
次に、関係者は、イジェクトボタンスイッチ５２の押圧操作を行う。これにより、イジェクトボタンスイッチ５２から操作信号が記録装置５０の制御装置６０に入力される。これに伴い、制御装置６０のイジェクト操作検知部６４は、イジェクトボタンスイッチ５２から操作信号が制御装置６０に入力されたことを、イジェクトボタンスイッチ５２が押圧操作されたこととして検知し、このことに基づき、記録処理部６２はＳＤカード５４への映像データの記録（録画）を停止する。
【００４１】
次に、関係者は、ＳＤカード５４を記録装置５０のカードコネクタ５１から取出す。次に、関係者は、そのＳＤカード５４を情報処理装置７０のカードコネクタ（図示省略）に装着する。次に、関係者は、ＳＤカード５４に記録された映像データを再生するのに必要な操作を、情報処理装置７０の入力装置に対して行う。これにより、情報処理装置７０の制御装置８０の読取処理部８１は、ＳＤカード５４に読取不能な状態で記録された映像データを、そのＳＤカード５４に書き込まれた読取許可情報に基づき読取可能な状態に復元して読み取る。そして、制御装置８０の再生処理部８２は、読取処理部８１により読み取られた映像データを表示装置７１に再生させて表示させる。
【００４２】
本実施形態に係る記録媒体のデータの不正使用防止システムを、前述の所定操作を知らない非関係者が、ＳＤカード５４に記録された映像データを再生しようとした場合には、次のようになる。
【００４３】
非関係者は、はじめに、扉２０を破壊するなどの不正な方法で扉２０を開ける。これにより、かご内操作盤１０は乗かご１内から記録装置５０を扱える状態になる。次に、非関係者は、かご内操作盤１０の５階ボタンスイッチと６階ボタンスイッチとを同時に３秒間長押しする必要があることを知らないので、その長押しを行うことなく、イジェクトボタンスイッチ５２を押圧操作して、または、イジェクトボタンスイッチ５２を押圧操作しないで、ＳＤカード５４を記録装置５０のカードコネクタ５１から取り出す。つまり、非関係者は、読取許可情報が書き込まれていない状態のＳＤカード５４を、記録装置５０のカードコネクタ５１から取り出す。
【００４４】
次に、非関係者は、そのＳＤカード５４をノートパソコン等の情報処理装置のカードコネクタ（図示省略）に装着する。次に、非関係者は、ＳＤカード５４に記録された映像データを再生しようとするが、そのＳＤカード５４に読取許可情報が書き込まれていないだけでなく、非関係者が所有する情報処理装置は読取処理部８１と再生処理部８２を備える保守点検用のもでもないので、ＳＤカード５４に記録された映像データを情報処理装置に読み取らせることができない。
【００４５】
本実施形態に係る記録媒体のデータの不正使用防止システムは、次の効果を奏する。
【００４６】
本実施形態に係る記録媒体のデータの不正使用防止システムは、記録装置５０の記録処理部６２により映像データを読取不能な状態に変換してＳＤカード５４に記録した上で、かご内操作盤１０に対し５階ボタンスイッチと６階ボタンスイッチとを同時に３秒間長押しするという所定操作が行われたことが所定操作検知部６４により検知された場合に限って、読取許可情報を記録装置５０の読取許可処理部６５によりＳＤカード５４に書き込み、これにより、その読取許可情報を読み取ることができる読取処理部８１を備える情報処理装置７０に限定して、ＳＤカード５４に記録された映像データを読み取らせるようにしている。したがって、本実施形態に係る記録媒体のデータの不正使用防止システムは、データの不正使用を防止する手段を予め備えないＳＤカードのうち、特にエレベータの乗かご１内の様子の映像データの記録に用いられるＳＤカード５４に関して、その映像データの不正使用を防止することができる。
【００４７】
前述の実施形態に係る記録媒体のデータの不正使用防止システムにおいて、記録装置５０および情報処理装置７０は記録媒体としてＳＤカード５４が着脱可能に装着されるものであったが、本発明における記録媒体はＳＤカードに限定されるものではなく、情報装置と記録装置との両方に装着可能なものであれば、ＳＤカード以外の記録媒体であってもよい。
【００４８】
前述の実施形態に係る記録媒体のデータの不正使用防止システムにおいて、記録装置５０の記録処理部６２は映像データの時系列を無秩序に並び替えることで映像データを読取不能な状態に変換するものであり、読取許可処理部６５は記録処理部６２によって時系列を無秩序に並び替えられた映像データの正しい時系列の情報を読取許可情報として扱うものであり、情報処理装置７０は映像データの正しい時系列の情報を読み取ることができるものであったが、本発明における記録処理部、読取許可処理部、情報処理装置はそれらに限定されるものではなく、記録処理部は映像データを読取不能な状態に変換するものであり、読取許可処理部は記録処理部により読取不能な状態にされた映像データを読取可能な状態に復元するのに必要な情報を読取許可情報として扱うものであり、情報処理装置は読取許可処理部により扱われる読取許可情報を読み取ることができるものであればよい。
【００４９】
例えば、記録処理部は映像データであることを示すヘッダ等の情報を映像データから取り除くことで映像データを読取不能な状態に変換するものであり、読取許可処理部はそのヘッダ等の情報を読取許可情報として扱うものであり、情報処理装置はその読取許可情報を読み取ることができるものであってもよい。
【００５０】
また例えば、記録処理部は映像データを暗号化することで読取不能な状態に変換するものであり、読取許可処理部は暗号化された映像データの復号化に必要な情報を読取許可情報として扱うものであり、情報処理装置はその読取許可情報を読み取ることができるものであってもよい。
【００５１】
前述の実施形態に係る記録媒体の不正使用防止システムは、エレベータ乗かご内監視装置３０に適用された例であり、記録装置に信号の入力が可能に接続された操作盤として、記録装置５０に行先階登録信号の入力が可能に接続されたかご内操作盤１０を備えるものであるが、本発明において操作盤は、かご内操作盤１０以外の操作盤であってもよい。
【００５２】
前述の実施形態に係る記録媒体の不正使用防止システムは、エレベータ乗かご内監視装置３０に適用された例であるので、記録装置５０によりＳＤカード５４に記録されるデータは映像データであったが、本発明においてデータは映像データに限定されるものではなく、映像データ以外のデータであってもよい。
【符号の説明】
【００５３】
１  乗かご
３０  エレベータ乗かご内監視装置
４０  監視カメラ
５０  記録装置
５４  ＳＤカード（記録媒体）
６２  記録処理部
６４  所定操作検知部
６５  読取許可処理部
７０  情報処理装置
８１  読取処理部
【図１】
2015118543.tif 000003
【図２】
2015118543.tif 000004
【図３】
2015118543.tif 000005